(57)【要約】      （修正有）【課題】ＥＳＬが低い電子部品を提供する。【解決手段】第１の内部電極１１は、第１の内部電極本体１１ａと、第１−１の引き出し電極部１１ｂ１と、第１−２の引き出し電極部１１ｃ１とを有する。第２の内部電極は、第２の内部電極本体と、第２−１の引き出し電極部と、第２−２の引き出し電極部とを有する。第１−１の引き出し電極部１１ｂ１の少なくとも一部と、第２−１の引き出し電極部の少なくとも一部とが幅方向において対向している。第１−１の引き出し電極部１１ｂ１と第２の外部電極１５とが厚み方向に重なっていない。第２−１の引き出し電極部と第１の外部電極１３とが厚み方向に重なっていない。【選択図】図５
2015153800.tif 000002
【特許請求の範囲】
【請求項１】
長さ方向及び幅方向に沿って延びる第１及び第２の主面と、長さ方向及び厚み方向に沿って延びる第１及び第２の側面と、幅方向及び厚み方向に沿って延びる第１及び第２の端面とを有する電子部品本体と、
前記電子部品本体内において、長さ方向及び厚み方向に沿って設けられており、前記第２の主面に引き出された第１の内部電極と、
前記電子部品本体内において、長さ方向及び厚み方向に沿って設けられており、前記幅方向に前記第１の内部電極と対向し、前記第２の主面に引き出された第２の内部電極と、
前記第２の主面の上に、前記第１の内部電極の引き出し電極部を覆うように設けられた第１の外部電極と、
前記第２の主面の上に、前記第２の内部電極の引き出し電極部を覆うように設けられた第２の外部電極と、
を備え、
前記第１の内部電極は、
矩形状の第１の内部電極本体と、
前記第１の内部電極本体から前記第２の主面側に延びる第１−１の引き出し電極部と、
前記第１−１の引き出し電極部から前記第２の主面に至るように設けられた第１−２の引き出し電極部と、
を有し、
前記第２の内部電極は、
前記第１の内部電極本体と厚み方向に対向している第２の内部電極本体と、
前記第２の内部電極本体から前記第２の主面側に延びる第２−１の引き出し電極部と、
前記第２−１の引き出し電極部から前記第２の主面に至るように設けられた第２−２の引き出し電極部と、
を有し、
前記第１−１の引き出し電極部の少なくとも一部と、前記第２−１の引き出し電極部の少なくとも一部とが幅方向において対向しており、
前記第１−１の引き出し電極部と前記第２の外部電極とが厚み方向に重なっておらず、
前記第２−１の引き出し電極部と前記第１の外部電極とが厚み方向になさなっていない、電子部品。
【請求項２】
前記第１及び第２の内部電極本体と、前記第１−１、１−２、２−１、２−２の引き出し部とのそれぞれは、矩形状である、請求項１に記載の電子部品。
【請求項３】
前記第１−１の引き出し電極部及び前記第１−２の引き出し電極部と、前記第２−１の引き出し電極部及び前記第２−２の引き出し電極部とのうちの少なくとも一方が、複数設けられている、請求項１又は２に記載の電子部品。
【請求項４】
前記第１−１の引き出し電極部及び前記第１−２の引き出し電極部が、長さ方向において前記第２−２の引き出し電極部の一方側と他方側とのそれぞれに設けられている、請求項３に記載の電子部品。
【請求項５】
記第１−１の引き出し電極部及び前記第１−２の引き出し電極部と、前記第２−１の引き出し電極部及び前記第２−２の引き出し電極部とが長さ方向に沿って交互にそれぞれ複数設けられている、請求項３に記載の電子部品。
【請求項６】
請求項１〜５のいずれか一項に記載の電子部品と、
前記電子部品が実装されている実装基板と、
を備える、電子部品の実装構造体。
【発明の詳細な説明】
【技術分野】
【０００１】
本発明は、電子部品及び電子部品の実装構造体に関する。
【背景技術】
【０００２】
従来、例えば積層セラミックコンデンサ等の電子部品が広く使用されている。例えば、特許文献１には、直方体型の積層セラミックコンデンサが記載されている。特許文献１に記載の積層セラミックコンデンサでは、一の面に第１の内部電極と第２の内部電極との両方が引き出されている。一の面における第１の内部電極の引き出し電極部と、一の面における第２の内部電極の引き出し電極部とは、長さ方向において異なる位置に設けられている。一の面の上には、第１の内部電極の引き出し電極部を覆う第１の外部電極と、第２の内部電極の引き出し電極部を覆う第２の外部電極とが設けられている。
【先行技術文献】
【特許文献】
【０００３】
【特許文献１】特開２００４−１４０２１１号公報
【発明の概要】
【発明が解決しようとする課題】
【０００４】
電子部品の使用態様によっては、電子部品に、等価直列インダクタンス（ＥＳＬ）が低いことが求められている。
【０００５】
本発明の主な目的は、ＥＳＬが低い電子部品を提供することにある。
【課題を解決するための手段】
【０００６】
本発明に係る電子部品は、電子部品本体と、第１の内部電極と、第２の内部電極と、第１の外部電極と、第２の外部電極とを備える。電子部品本体は、第１及び第２の主面と、第１及び第２の側面と、第１及び第２の端面とを有する。第１及び第２の主面は、長さ方向及び幅方向に沿って延びている。第１及び第２の側面は、長さ方向及び厚み方向に沿って延びている。第１及び第２の端面は、幅方向及び厚み方向に沿って延びている。第１の内部電極は、電子部品本体内において、長さ方向及び厚み方向に沿って設けられている。第１の内部電極は、第２の主面に引き出されている。第２の内部電極は、電子部品本体内において、長さ方向及び厚み方向の沿って設けられている。第２の内部電極は、幅方向において第１の内部電極と対向している。第２の内部電極は、第２の主面に引き出されている。第１の外部電極は、第２の主面の上に、第１の内部電極の引き出し電極部を覆うように設けられている。第２の外部電極は、第２の主面の上に、第２の内部電極の引き出し電極部を覆うように設けられている。第１の内部電極は、第１の内部電極本体と、第１−１の引き出し電極部と、第１−２の引き出し電極部とを有する。第１−１の引き出し電極部は、第１の内部電極本体から第２の主面側に延びている。第１−２の引き出し電極部は、第１−１の引き出し電極部から第２の主面に至るように設けられている。第２の内部電極は、第２の内部電極本体と、第２−１の引き出し電極部と、第２−２の引き出し電極部とを有する。第２の内部電極本体は、第１の内部電極本体と厚み方向に対向している。第２−１の引き出し電極部は、第２の内部電極本体から第２の主面側に延びている。第２−２の引き出し電極部は、第２−１の引き出し電極部から第２の主面に至るように設けられている。第１−１の引き出し電極部の少なくとも一部と、第２−１の引き出し電極部の少なくとも一部とが幅方向において対向している。第１−１の引き出し電極部と第２の外部電極とが厚み方向に重なっていない。第２−１の引き出し電極部と第１の外部電極とが厚み方向になさなっていない。
【０００７】
本発明に係る電子部品では、第１及び第２の内部電極本体と、第１−１、１−２、２−１、２−２の引き出し部とのそれぞれは、矩形状であることが好ましい。
【０００８】
本発明に係る電子部品では、第１−１の引き出し電極部及び第１−２の引き出し電極部と、第２−１の引き出し電極部及び第２−２の引き出し電極部ととのうちの少なくとも一方が、複数設けられていてもよい。
【０００９】
本発明に係る電子部品では、第１−１の引き出し電極部及び第１−２の引き出し電極部が、長さ方向において第２−２の引き出し電極部の一方側と他方側とのそれぞれに設けられていてもよい。
【００１０】
本発明に係る電子部品では、記第１−１の引き出し電極部及び第１−２の引き出し電極部と、第２−１の引き出し電極部及び第２−２の引き出し電極部とが長さ方向に沿って交互にそれぞれ複数設けられていてもよい。
【００１１】
本発明に係る電子部品の実装構造体は、ほんはつめいに係る電子部品と、電子部品が実装されている実装基板とを備えている。
【発明の効果】
【００１２】
本発明によれば、ＥＳＬが低い電子部品を提供することができる。
【図面の簡単な説明】
【００１３】
【図１】第１の実施形態における電子部品の模式的斜視図である。
【図２】第１の実施形態における電子部品の第２の側面の模式的正面図である。
【図３】第１の実施形態における電子部品の第２の端面の模式的正面図である。
【図４】図２の線ＩＶ−ＩＶにおける模式的断面図である。
【図５】図４の線Ｖ−Ｖにおける模式的断面図である。
【図６】図４の線ＶＩ−ＶＩにおける模式的断面図である。
【図７】第１の実施形態における電子部品の実装構造体の模式的断面図である。
【図８】第１の実施形態における電子部品の実装構造体の模式的断面図である。
【図９】参考例における電子部品の実装構造体の模式的断面図である。
【図１０】第２の実施形態における電子部品の模式的斜視図である。
【図１１】第２の実施形態における電子部品の模式的断面図である。
【図１２】第２の実施形態における電子部品の模式的断面図である。
【図１３】第３の実施形態における電子部品の模式的斜視図である。
【図１４】第３の実施形態における電子部品の模式的断面図である。
【図１５】第３の実施形態における電子部品の模式的断面図である。
【発明を実施するための形態】
【００１４】
以下、本発明を実施した好ましい形態の一例について説明する。但し、下記の実施形態は、単なる例示である。本発明は、下記の実施形態に何ら限定されない。
【００１５】
また、実施形態等において参照する各図面において、実質的に同一の機能を有する部材は同一の符号で参照することとする。また、実施形態等において参照する図面は、模式的に記載されたものである。図面に描画された物体の寸法の比率などは、現実の物体の寸法の比率などとは異なる場合がある。図面相互間においても、物体の寸法比率等が異なる場合がある。具体的な物体の寸法比率等は、以下の説明を参酌して判断されるべきである。
【００１６】
（第１の実施形態）
図１は、本実施形態における電子部品の模式的斜視図である。図２は、本実施形態における電子部品の第２の側面の模式的正面図である。図３は、本実施形態における電子部品の第２の端面の模式的正面図である。図４は、図２の線ＩＶ−ＩＶにおける模式的断面図である。図５は、図４の線Ｖ−Ｖにおける模式的断面図である。図６は、図４の線ＶＩ−ＶＩにおける模式的断面図である。
【００１７】
図１〜図６に示されるように、電子部品１は、電子部品本体１０を備えている。電子部品本体１０は、略直方体状である。電子部品本体１０の角部や稜線部は、面取り状に設けられていてもよいし、丸められた形状を有していてもよい。また、主面、側面及び端面のそれぞれには、凹凸が設けられていてもよい。
【００１８】
電子部品本体１０は、第１及び第２の主面１０ａ、１０ｂと、第１及び第２の側面１０ｃ、１０ｄと、第１及び第２の端面１０ｅ、１０ｆとを有する。第１及び第２の主面１０ａ、１０ｂは、それぞれ、幅方向Ｗと、長さ方向Ｌとに沿って延びている。第１及び第２の側面１０ｃ、１０ｄは、それぞれ、幅方向Ｗと、厚み方向Ｔとに沿って延びている。第１及び第２の端面１０ｅ、１０ｆは、それぞれ、長さ方向Ｌと、厚み方向Ｔとに沿って延びている。長さ方向Ｌは、幅方向Ｗに対して垂直である。厚み方向Ｔは、長さ方向Ｌと幅方向Ｗとのそれぞれに対して垂直である。
【００１９】
なお、本実施形態では、第１及び第２の主面１０ａ、１０ｂ、第１及び第２の側面１０ｃ、１０ｄ並びに第１及び第２の端面１０ｅ、１０ｆのうち、最も大きい面が、第１及び第２の主面１０ａ、１０ｂであり、最も小さい面が、第１及び第２の端面１０ｅ、１０ｆである。
【００２０】
電子部品本体１０の寸法は特に限定されない。例えば電子部品本体１０の厚み寸法は１．９０ｍｍ〜２．１０ｍｍであることが好ましく、長さ寸法は０．８ｍｍ〜１．０ｍｍであることが好ましく、幅寸法は１．１５ｍｍ〜１．３５ｍｍであることが好ましい。
【００２１】
電子部品本体１０は、例えば、電子部品１の機能に応じた適宜のセラミックスにより構成することができる。具体的には、電子部品１がコンデンサである場合は、電子部品本体１０を誘電体セラミックスにより形成することができる。誘電体セラミックスの具体例としては、例えば、ＢａＴｉＯ３、ＣａＴｉＯ３、ＳｒＴｉＯ３、ＣａＺｒＯ３などが挙げられる。電子部品本体１０には、電子部品１に要求される特性に応じて、例えばＭｎ化合物、Ｍｇ化合物、Ｓｉ化合物、Ｆｅ化合物、Ｃｒ化合物、Ｃｏ化合物、Ｎｉ化合物、希土類化合物などの副成分が適宜添加されていてもよい。
【００２２】
図４に示されるように、電子部品本体１０の内部には、複数の第１の内部電極１１と、複数の第２の内部電極１２とが設けられている。第１の内部電極１１と第２の内部電極１２とは、それぞれ、長さ方向Ｌ及び厚み方向Ｔに沿って設けられている。第１の内部電極１１と第２の内部電極１２とは、幅方向Ｗに沿って交互に間隔を置いて設けられている。幅方向Ｗにおいて隣り合う第１の内部電極１１と第２の内部電極１２とは、セラミック部１０ｇを介して幅方向Ｗにおいて対向している。
【００２３】
第１及び第２の内部電極１１，１２は、例えば、Ｎｉ、Ｃｕ，Ａｇ，Ｐｄ，Ａｕ，Ａｇ−Ｐｄ合金などの金属等により構成することができる。
【００２４】
図５に示されるように、第１の内部電極１１は、第１及び第２の主面１０ａ、１０ｂのそれぞれに引き出されている。具体的には、第１の内部電極１１は、第１の内部電極本体１１ａと、第１−１の引き出し電極部１１ｂ１，１１ｂ２，１１ｄ１，１１ｄ２と、第１−２の引き出し電極部１１ｃ１，１１ｃ２，１１ｅ１，１１ｅ２とを有する。
【００２５】
第１の内部電極本体１１ａは、矩形状である。第１の内部電極本体１１ａは、第１及び第２の主面１０ａ、１０ｂ並びに第１及び第２の端面１０ｅ、１０ｆに露出していない。第１の内部電極本体１１ａは、第１及び第２の主面１０ａ、１０ｂ並びに第１及び第２の端面１０ｅ、１０ｆから離間して設けられている。
【００２６】
第１の内部電極本体１１ａのＬ１側部分には、第２の主面１０ｂ側に向かって延びる第１−１の引き出し電極部１１ｂ１が接続されている。第１−１の引き出し電極部１１ｂ１は、第２の主面１０ｂに至っていない。第１−１の引き出し電極部１１ｂ１は、矩形である。第１−１の引き出し電極部１１ｂ１のＬ１側の端辺は、第１の内部電極本体１１ａのＬ１側の端辺と面一である。
【００２７】
第１−１の引き出し電極部１１ｂ１のＬ１側の部分には、第２の主面１０ｂ側に向かって延びる第１−２の引き出し電極部１１ｃ１が接続されている。第１−２の引き出し電極部１１ｃ１は、第２の主面１０ｂに至っている。第１−２の引き出し電極部１１ｃ１は、矩形である。第１−２の引き出し電極部１１ｃ１のＬ１側の端辺は、第１−１の引き出し電極部１１ｂ１のＬ１側の端辺と面一である。第１−２の引き出し電極部１１ｃ１の長さ方向Ｌに沿った幅は、第１−１の引き出し電極部１１ｂ１の長さ方向Ｌに沿った幅よりも小さい。
【００２８】
第１の内部電極本体１１ａのＬ２側部分には、第２の主面１０ｂ側に向かって延びる第１−１の引き出し電極部１１ｂ２が接続されている。第１−１の引き出し電極部１１ｂ２は、第２の主面１０ｂに至っていない。第１−１の引き出し電極部１１ｂ２は、矩形である。第１−１の引き出し電極部１１ｂ２のＬ２側の端辺は、第１の内部電極本体１１ａのＬ２側の端辺と面一である。
【００２９】
第１−１の引き出し電極部１１ｂ２のＬ２側の部分には、第２の主面１０ｂ側に向かって延びる第１−２の引き出し電極部１１ｃ２が接続されている。第１−２の引き出し電極部１１ｃ２は、第２の主面１０ｂに至っている。第１−２の引き出し電極部１１ｃ２は、矩形である。第１−２の引き出し電極部１１ｃ２のＬ２側の端辺は、第１−１の引き出し電極部１１ｂ２のＬ２側の端辺と面一である。第１−２の引き出し電極部１１ｃ２の長さ方向Ｌに沿った幅は、第１−１の引き出し電極部１１ｂ２の長さ方向Ｌに沿った幅よりも小さい。
【００３０】
第１の内部電極本体１１ａのＬ１側部分には、第１の主面１０ａ側に向かって延びる第１−１の引き出し電極部１１ｄ１が接続されている。第１−１の引き出し電極部１１ｄ１は、第１の主面１０ａに至っていない。第１−１の引き出し電極部１１ｄ１は、矩形である。第１−１の引き出し電極部１１ｄ１のＬ１側の端辺は、第１の内部電極本体１１ａのＬ１側の端辺と面一である。
【００３１】
第１−１の引き出し電極部１１ｄ１のＬ１側の部分には、第１の主面１０ａ側に向かって延びる第１−２の引き出し電極部１１ｅ１が接続されている。第１−２の引き出し電極部１１ｅ１は、第１の主面１０ａに至っている。第１−２の引き出し電極部１１ｅ１は、矩形である。第１−２の引き出し電極部１１ｅ１のＬ１側の端辺は、第１−１の引き出し電極部１１ｄ１のＬ１側の端辺と面一である。第１−２の引き出し電極部１１ｅ１の長さ方向Ｌに沿った幅は、第１−１の引き出し電極部１１ｄ１の長さ方向Ｌに沿った幅よりも小さい。
【００３２】
第１の内部電極本体１１ａのＬ２側部分には、第１の主面１０ａ側に向かって延びる第１−１の引き出し電極部１１ｄ２が接続されている。第１−１の引き出し電極部１１ｄ２は、第１の主面１０ａに至っていない。第１−１の引き出し電極部１１ｄ２は、矩形である。第１−１の引き出し電極部１１ｄ２のＬ２側の端辺は、第１の内部電極本体１１ａのＬ２側の端辺と面一である。
【００３３】
第１−１の引き出し電極部１１ｄ２のＬ２側の部分には第１の主面１０ａ側に向かって延びる第１−２の引き出し電極部１１ｅ２が接続されている。第１−２の引き出し電極部１１ｅ２は、第１の主面１０ａに至っている。第１−２の引き出し電極部１１ｅ２は、矩形である。第１−２の引き出し電極部１１ｅ２のＬ２側の端辺は、第１−１の引き出し電極部１１ｄ２のＬ２側の端辺と面一である。第１−２の引き出し電極部１１ｅ２の長さ方向Ｌに沿った幅は、第１−１の引き出し電極部１１ｄ２の長さ方向Ｌに沿った幅よりも小さい。
【００３４】
図６に示されるように、第２の内部電極１２は、第１及び第２の主面１０ａ、１０ｂのそれぞれに引き出されている。具体的には、第２の内部電極１２は、第２の内部電極本体１２ａと、第２−１の引き出し電極部１２ｂ、１２ｄと、第２−２の引き出し電極部１２ｃ、１２ｅとを有する。
【００３５】
第２の内部電極本体１２ａは、矩形状である。第２の内部電極本体１２ａは、第１及び第２の主面１０ａ、１０ｂ並びに第１及び第２の端面１０ｅ、１０ｆに露出していない。第２の内部電極本体１２ａは、第１及び第２の主面１０ａ、１０ｂ並びに第１及び第２の端面１０ｅ、１０ｆから離間して設けられている。
【００３６】
第２の内部電極本体１２ａの長さ方向Ｌにおける中央部には、第２の主面１０ｂ側に向かって延びる第２−１の引き出し電極部１２ｂが接続されている。第２−１の引き出し電極部１２ｂは、第２の主面１０ｂに至っていない。第２−１の引き出し電極部１２ｂは、矩形である。図８に示されるように、第２−１の引き出し電極部１２ｂの少なくとも一部は、第１−１の引き出し電極部１１ｂ１の少なくとも一部と幅方向Ｗにおいて対向している。本実施形態では、具体的には、第２−１の引き出し電極部１２ｂのＬ１側の部分と、第１−１の引き出し電極部１１ｂ１のＬ２側の部分とが幅方向Ｗにおいて対向している。従って、例えば、電子部品１がコンデンサである場合は、第２−１の引き出し電極部１２ｂのＬ１側の部分と、第１−１の引き出し電極部１１ｂ１のＬ２側の部分との間に静電容量が形成される。また、第２−１の引き出し電極部１２ｂの少なくとも一部は、第１−１の引き出し電極部１１ｂ２の少なくとも一部と幅方向Ｗにおいて対向している。本実施形態では、具体的には、第２−１の引き出し電極部１２ｂのＬ２側の部分と、第１−１の引き出し電極部１１ｂ２のＬ１側の部分とが幅方向Ｗにおいて対向している。従って、例えば、電子部品１がコンデンサである場合は、第２−１の引き出し電極部１２ｂのＬ２側の部分と、第１−１の引き出し電極部１１ｂ２のＬ１側の部分との間に静電容量が形成される。第２−１の引き出し電極部１２ｂの厚み方向Ｔに沿った寸法と、第１−１の引き出し電極部１１ｂ１の厚み方向Ｔに沿った寸法とは、実質的に同じである。
【００３７】
図６に示されるように、第２−１の引き出し電極部１２ｂの長さ方向Ｌにおける中央部には、第２の主面１０ｂ側に向かって延びる第２−２の引き出し電極部１２ｃが接続されている。第２−２の引き出し電極部１２ｃは、第２の主面１０ｂに至っている。第２−２の引き出し電極部１２ｃ矩形である。第２−２の引き出し電極部１２ｃの長さ方向Ｌに沿った寸法は、第２−１の引き出し電極部１２ｂの長さ方向Ｌに沿った寸法よりも小さい。図８に示されるように、第２−２の引き出し電極部１２ｃは、第１の内部電極１１と幅方向Ｗにおいて対向していない。
【００３８】
第２の内部電極本体１２ａの長さ方向Ｌにおける中央部には、第１の主面１０ａ側に向かって延びる第２−１の引き出し電極部１２ｄが接続されている。第２−１の引き出し電極部１２ｄは、第１の主面１０ａに至っていない。第２−１の引き出し電極部１２ｄは、矩形である。図８に示されるように、第２−１の引き出し電極部１２ｄの少なくとも一部は、第１−１の引き出し電極部１１ｄ１の少なくとも一部と幅方向Ｗにおいて対向している。本実施形態では、具体的には、第２−１の引き出し電極部１２ｄのＬ１側の部分と、第１−１の引き出し電極部１１ｄ１のＬ２側の部分とが幅方向Ｗにおいて対向している。従って、例えば、電子部品１がコンデンサである場合は、第２−１の引き出し電極部１２ｄのＬ１側の部分と、第１−１の引き出し電極部１１ｄ１のＬ２側の部分との間に静電容量が形成される。また、第２−１の引き出し電極部１２ｄの少なくとも一部は、第１−１の引き出し電極部１１ｄ２の少なくとも一部と幅方向Ｗにおいて対向している。本実施形態では、具体的には、第２−１の引き出し電極部１２ｄのＬ２側の部分と、第１−１の引き出し電極部１１ｄ２のＬ１側の部分とが幅方向Ｗにおいて対向している。従って、例えば、電子部品１がコンデンサである場合は、第２−１の引き出し電極部１２ｄのＬ２側の部分と、第１−１の引き出し電極部１１ｄ２のＬ１側の部分との間に静電容量が形成される。第２−１の引き出し電極部１２ｄの厚み方向Ｔに沿った寸法と、第１−１の引き出し電極部１１ｄ１の厚み方向Ｔに沿った寸法とは、実質的に同じである。
【００３９】
図６に示されるように、第２−１の引き出し電極部１２ｄの長さ方向Ｌにおける中央部には、第１の主面１０ａ側に向かって延びる第２−２の引き出し電極部１２ｅが接続されている。第２−２の引き出し電極部１２ｅは、第１の主面１０ａに至っている。第２−２の引き出し電極部１２ｅ矩形である。第２−２の引き出し電極部１２ｅの長さ方向Ｌに沿った寸法は、第２−１の引き出し電極部１２ｄの長さ方向Ｌに沿った寸法よりも小さい。図８に示されるように、第２−２の引き出し電極部１２ｅは、第１の内部電極１１と幅方向Ｗにおいて対向していない。
【００４０】
本実施形態では、第１及び第２の内部電極本体１１ａ、１２ａよりも第２の主面１０ｂ側の領域と、第１の主面１０ａ側の領域とのそれぞれにおいて、第１−１の引き出し電極部及び第１−２の引き出し電極部と、第２−１の引き出し電極部及び第２−２の引き出し電極部ととのうちの少なくとも一方が、複数設けられている。具体的には、第１及び第２の内部電極本体１１ａ、１２ａよりも第２の主面１０ｂ側の領域において、第１−１の引き出し電極部及び第１−２の引き出し電極部が、第２−２の引き出し電極部のＬ１側とＬ２側との両方に設けられている。
【００４１】
図１，図２、図５及び図６に示されるように、第２の主面１０ｂの上には、第１及び第２の信号端子電極１３，１４と、第１の接地用端子電極１５とが設けられている。本実施形態では、第１及び第２の信号端子電極１３，１４が第１の外部電極を構成している。第１の接地用端子電極１５が第２の外部電極を構成している。
【００４２】
第１の信号端子電極１３は、第２の主面１０ｂの長さ方向Ｌにおける第１の端面１０ｅ側（Ｌ１側）部分の上に設けられている。第１の信号端子電極１３は、第２の主面１０ｂの幅方向Ｗにおける一方側端部から他方側端部に跨がって設けられている。第１の信号端子電極１３は、第２の主面１０ｂの上から、第１及び第２の側面１０ｃ、１０ｄ並びに第１及び第２の端面１０ｅ、１０ｆのうちの少なくとも一つの上に跨がるように設けられている。第１の信号端子電極１３は、第１の主面１０ａには至っていない。
【００４３】
図５に示されるように、第１の信号端子電極１３は、第１の内部電極１１に接続されている。第１の信号端子電極１３は、第１の内部電極１１の露出部を覆っている。
【００４４】
第１の外部電極を構成している第１の信号端子電極１３は、厚み方向Ｔにおいて、第２の外部電極を構成している第１の接地用端子電極１５と重なっていない。第１の信号端子電極１３の長さ方向Ｌにおける位置と、第１の接地用端子電極１５の長さ方向Ｌにおける位置とは、相互に異なっている。
【００４５】
なお、第１の信号端子電極１３は、例えば、第２の主面１０ｂの上にのみ設けられていてもよい。
【００４６】
図１に示されるように、第２の信号端子電極１４は、第２の主面１０ｂの長さ方向Ｌにおける第２の端面１０ｆ側（Ｌ２側）部分の上に設けられている。第２の信号端子電極１４は、第２の主面１０ｂの幅方向Ｗにおける一方側端部から他方側端部に跨がって設けられている。第２の信号端子電極１４は、第２の主面１０ｂの上から、第１及び第２の側面１０ｃ、１０ｄ並びに第１及び第２の端面１０ｅ、１０ｆの少なくともひとつの上に跨がるように設けられている。具体的には、本実施形態では、第２の信号端子電極１４は、第２の主面１０ｂの上から、第１及び第２の側面１０ｃ、１０ｄ並びに第２の端面１０ｆのそれぞれの上に跨がるように設けられている。第２の信号端子電極１４は、第１の主面１０ａには至っていない。
【００４７】
図５に示されるように、第２の信号端子電極１４は、第１の内部電極１１に接続されている。第２の信号端子電極１４は、第１の内部電極１１の露出部を覆っている。
【００４８】
第１の外部電極を構成している第２の信号端子電極１４は、厚み方向Ｔにおいて、第２の外部電極を構成している第１の接地用端子電極１５と重なっていない。第２の信号端子電極１４の長さ方向Ｌにおける位置と、第１の接地用端子電極１５の長さ方向Ｌにおける位置とは、相互に異なっている。
【００４９】
なお、第２の信号端子電極１４は、第２の主面１０ｂの上にのみ設けられていてもよい。
【００５０】
図１に示されるように、第１の接地用端子電極１５は、第２の主面１０ｂの長さ方向Ｌにおいて第１の信号端子電極１３と第２の信号端子電極１４との間に位置する部分の上に設けられている。第１の接地用端子電極１５は、第２の主面１０ｂの幅方向Ｗにおける一方側端部から他方側端部に跨がって設けられている。第１の接地用端子電極１５は、第１及び第２の信号端子電極１３，１４とは離間している。第１の接地用端子電極１５は、第２の主面１０ｂの上から、第１及び第２の側面１０ｃ、１０ｄの少なくとも一方の上に跨がって設けられている。具体的には、本実施形態では、第１の接地用端子電極１５は、第２の主面１０ｂの上から、第１及び第２の側面１０ｃ、１０ｄのそれぞれの上に跨がって設けられている。第１の接地用端子電極１５は、第１の主面１０ａには至っていない。
【００５１】
図６に示されるように、第１の接地用端子電極１５は、第２の内部電極１２に接続されている。第１の接地用端子電極１５は、第２の内部電極１２の露出部を覆っている。
【００５２】
なお、第１の接地用端子電極１５は、第２の主面１０ｂの上にのみ設けられていてもよい。
【００５３】
第１の主面１０ａの上には、第３及び第４の信号端子電極１６，１７と、第２の接地用端子電極１８とが設けられている。もっとも、本発明は、この構成に限定されない。例えば、外部電極は、第２の主面側にのみ設けられており、第１の主面側には設けられていなくてもよい。また、第１の信号端子電極１３と第３の信号端子電極１６とが、一体に設けられていてもよい。第２の信号端子電極１４と第４の信号端子電極１７とが、一体に設けられていてもよい。第１の接地用端子電極１５と第２の接地用端子電極１８とが、一体に設けられていてもよい。
【００５４】
第３の信号端子電極１６は、第１の主面１０ａの長さ方向Ｌにおける第１の端面１０ｅ側（Ｌ１側）部分の上に設けられている。第３の信号端子電極１６は、第１の主面１０ａの幅方向Ｗにおける一方側端部から他方側端部に跨がって設けられている。第３の信号端子電極１６は、第１の主面１０ａの上から、第１及び第２の側面１０ｃ、１０ｄ並びに第１及び第２の端面１０ｅ、１０ｆの少なくとも一つの上に跨がるように設けられている。具体的には、本実施形態では、第３の信号端子電極１６は、第１の主面１０ａの上から、第１及び第２の側面１０ｃ、１０ｄ並びに第１の端面１０ｅのそれぞれの上に跨がるように設けられている。第３の信号端子電極１６は、第２の主面１０ｂには至っていない。
【００５５】
図５に示されるように、第３の信号端子電極１６は、第１の内部電極１１に接続されている。第３の信号端子電極１６は、第１の内部電極１１の露出部を覆っている。
【００５６】
第３の信号端子電極１６は、厚み方向Ｔにおいて、第２の接地用端子電極１８と重なっていない。第３の信号端子電極１６の長さ方向Ｌにおける位置と、第２の接地用端子電極１８の長さ方向Ｌにおける位置とは、相互に異なっている。
【００５７】
なお、第３の信号端子電極１６は、第１の主面１０ａの上にのみ設けられていてもよい。
【００５８】
第４の信号端子電極１７は、第１の主面１０ａの長さ方向Ｌにおける第２の端面１０ｆ側（Ｌ２側）部分の上に設けられている。第４の信号端子電極１７は、第１の主面１０ａの幅方向Ｗにおける一方側端部から他方側端部に跨がって設けられている。第４の信号端子電極１７は、第１の主面１０ａの上から、第１及び第２の側面１０ｃ、１０ｄ並びに第１及び第２の端面１０ｅ、１０ｆの少なくとも一つの上に跨がるように設けられている。具体的には、本実施形態では、第４の信号端子電極１７は、第１の主面１０ａの上から、第１及び第２の側面１０ｃ、１０ｄ並びに第２の端面１０ｆのそれぞれの上に跨がるように設けられている。第４の信号端子電極１７は、第２の主面１０ｂには至っていない。  図５に示されるように、第４の信号端子電極１７は、第１の内部電極１１に接続されている。第４の信号端子電極１７は、第１の内部電極１１の第２の引き出し電極部１１ｂを覆っている。
【００５９】
第４の信号端子電極１７は、厚み方向Ｔにおいて、第２の接地用端子電極１８と重なっていない。第４の信号端子電極１７の長さ方向Ｌにおける位置と、第２の接地用端子電極１８の長さ方向Ｌにおける位置とは、相互に異なっている。
【００６０】
なお、第４の信号端子電極１７は、第１の主面１０ａの上にのみ設けられていてもよい。
【００６１】
第２の接地用端子電極１８は、第１の主面１０ａの長さ方向Ｌにおいて第３の信号端子電極１６と第４の信号端子電極１７との間に位置する部分の上に設けられている。第２の接地用端子電極１８は、第１の主面１０ａの幅方向Ｗにおける一方側端部から他方側端部に跨がって設けられている。第２の接地用端子電極１８は、第３及び第４の信号端子電極１６，１７とは離間している。第２の接地用端子電極１８、第１の主面１０ａの上から、第１及び第２の側面１０ｃ、１０ｄの少なくとも一方の上に跨がって設けられている。具体的には、本実施形態では、第２の接地用端子電極１８、第１の主面１０ａの上から、第１及び第２の側面１０ｃ、１０ｄのそれぞれの上に跨がって設けられている。第２の接地用端子電極１８は、第２の主面１０ｂには至っていない。
【００６２】
図６に示されるように、第２の接地用端子電極１８は、第２の内部電極１２に接続されている。第２の接地用端子電極１８は、第２の内部電極１２の第１の引き出し電極部１２ａを覆っている。
【００６３】
なお、第２の接地用端子電極１８は、第１の主面１０ａの上にのみ設けられていてもよい。
【００６４】
第１〜第４の信号端子電極１３，１４，１６，１７並びに第１及び第２の接地用端子電極１５，１８のそれぞれは、例えば、Ｎｉ、Ｃｕ，Ａｇ，Ｐｄ，Ａｕ，Ｓｎ，Ｃｒ，Ａｇ−Ｐｄ合金等の適宜の金属等により構成することができる。
【００６５】
第１〜第４の信号端子電極１３，１４，１６，１７並びに第１及び第２の接地用端子電極１５，１８は、それぞれ、導電性ペースト層が焼き付けられることにより形成された焼成電極層を含んでいてもよい。第１〜第４の信号端子電極１３，１４，１６，１７並びに第１及び第２の接地用端子電極１５，１８は、それぞれ、例えば、電子部品本体１０の上に設けられた少なくとも一つの焼成電極層と、焼成電極層の上に設けられた少なくともひとつのめっき層とにより構成されていてもよい。
【００６６】
図７及び図８は、本実施形態における電子部品の実装構造体の模式的断面図である。図７及び図８に示されるように、電子部品の実装構造体２は、電子部品１と、実装基板２０とを備えている。電子部品１は、実装基板２０の実装面２０ａの上に実装されている。実装基板２０は、実装面２０ａに設けられた第１〜第３のランド２１〜２３を有する。
【００６７】
第１のランド２１は、第１の信号端子電極１３と電気的に接続されている。第１のランド２１は、長さ方向Ｌにおいて、第１の信号端子電極１３よりも外側（Ｌ１側）にまで延びている。すなわち、第１のランド２１は、平面視において（厚み方向Ｔから視たときに）、電子部品１の外側に位置する部分を有している。
【００６８】
第２のランド２２は、第２の信号端子電極１４と電気的に接続されている。第２のランド２２は、長さ方向Ｌにおいて、第２の信号端子電極１４よりも外側（Ｌ２側）にまで延びている。すなわち、第２のランド２２は、平面視において（厚み方向Ｔから視たときに）、電子部品１の外側に位置する部分を有している。
【００６９】
第３のランド２３は、第１の接地用端子電極１５と電気的に接続されている。
【００７０】
ランド２１〜２３と、端子電極１３〜１５とは、導電材３０により接合されると共に、電気的に接続されている。
【００７１】
なお、導電材３０は、導電性を有するものであれば特に限定されない。導電材３０は、例えば半田により構成することができる。
【００７２】
ところで、図９に示されるように、内部電極は、対向部と、対向部に接続された引き出し電極部とを有しており、対向部は、矩形に設けられている場合が多い。対向部を大きくする観点からは、対向部と外部電極との間の距離を短くすることが好ましい。しかしながら、対向部と外部電極との間の距離が短すぎると耐電圧性が低下することなどから、対向部と外部電極との間の距離は、一定の距離以上確保する必要がある。
【００７３】
対向部と外部電極との間の距離が長くなると、その分、カレントループ（ｃｕｒｒｅｎｔ  ｌｏｏｐ）ＣＬ１００が長くなる。従って、ＥＳＬが高くなる傾向にある。しかしながら、上述の通り、対向部と外部電極との間の距離を短くすることは困難であるため、矩形状の対向部を有する内部電極を備えた従来の電子部品では、ＥＳＬを十分に低くすることが困難である。
【００７４】
それに対して電子部品１では、第１の内部電極１１に、第１−１の引き出し電極部１１ｂ１，１１ｂ２が設けられている。第２の内部電極１２に、第２−１の引き出し電極部１２ｂが設けられている。第１−１の引き出し電極部１１ｂ１，１１ｂ２と、第２−１の引き出し電極部１２ｂとは幅方向Ｗにおいて対向している。このため、電子部品１においては、カレントループＣＬ１は、第１−１の引き出し電極部１１ｂ１，１１ｂ２と、第２−１の引き出し電極部１２ｂとが設けられた領域を経由して形成される。ここで、第１−１の引き出し電極部１１ｂ１，１１ｂ２は、第２の外部電極を構成している第１の接地用端子電極１５と厚み方向Ｔにおいて重なっていない。第２−１の引き出し電極部１２ｂは、第１の外部電極を構成している第１及び第２の信号端子電極１３，１４と厚み方向Ｔにおいて重なっていない。このため、第１−１の引き出し電極部１１ｂ１，１１ｂ２と第２−１の引き出し電極部１２ｂとのそれぞれと、第２の主面１０ｂとの間の距離を短くすることができる。従って、電子部品１のカレントループＣＬ１は、図９に示される参考例に係る電子部品のカレントループＣＬ１００よりも短い。よって、電子部品１によれば、ＥＳＬを低くすることができる。
【００７５】
以下、本発明の好ましい実施形態の他の例について説明する。以下の説明において、上記第１の実施形態と実質的に共通の機能を有する部材を共通の符号で参照し、説明を省略する。
【００７６】
（第２の実施形態）
図１０は、第２の実施形態における電子部品の模式的斜視図である。図１１は、第２の実施形態における電子部品の模式的断面図である。図１２は、第２の実施形態における電子部品の模式的断面図である。
【００７７】
上記第１の実施形態では、第２の主面上に、２つの第１の外部電極と、１つの第２の外部電極とが設けられている例について説明した。但し、本発明に係る電子部品は、一の主面に引き出されている第１及び第２の内部電極と、第１の内部電極の露出部を覆う第１の外部電極と、第２の内部電極の露出部を覆う第２の外部電極とを有するものである限りにおいて特に限定されない。
【００７８】
図１０〜図１２に示されるように、本実施形態に係る電子部品１ａは、第２又は第１の主面１０ｂ、１０ａの上に配された第１及び第２の外部電極４３〜４６を備えている。
【００７９】
図１１に示されるように、第１の内部電極１１は、矩形状の第１の内部電極本体１１ａと、矩形状の第１−１の引き出し電極部１１ｂ、１１ｄと、矩形状の第１−２の引き出し電極部１１ｃ、１１ｅとを有する。
【００８０】
第１−１の引き出し電極部１１ｂは、第１の内部電極本体１１ａのＬ２側の部分から第２の主面１０ｂ側に向かって延びている。第１−１の引き出し電極部１１ｂは、第２の主面１０ｂには至っていない。第１−１の引き出し電極部１１ｂのＬ２側の端辺と、第１の内部電極本体１１ａのＬ２側の端辺とは面一である。
【００８１】
第１−２の引き出し電極部１１ｃは、第１−１の引き出し電極部１１ｂから第２の主面１０ｂ側に向かって延びている。第１−２の引き出し電極部１１ｃは、第２の主面１０ｂに至っている。第１−２の引き出し電極部１１ｃの長さ方向Ｌに沿った寸法は、第１−１の引き出し電極部１１ｂの長さ方向Ｌに沿った寸法よりも短い。第１−２の引き出し電極部１１ｃのＬ２側の端辺は、第１−１の引き出し電極部１１ｂのＬ２側の端辺と面一である。第１−２の引き出し電極部１１ｃの第２の主面１０ｂにおける露出部は、第１の外部電極４３により覆われている。
【００８２】
第１−１の引き出し電極部１１ｄは、第１の内部電極本体１１ａのＬ２側の部分から第１の主面１０ａ側に向かって延びている。第１−１の引き出し電極部１１ｄは、第１の主面１０ａには至っていない。第１−１の引き出し電極部１１ｄのＬ２側の端辺と、第１の内部電極本体１１ａのＬ２側の端辺とは面一である。
【００８３】
第１−２の引き出し電極部１１ｅは、第１−１の引き出し電極部１１ｄから第１の主面１０ａ側に向かって延びている。第１−２の引き出し電極部１１ｅは、第１の主面１０ａに至っている。第１−２の引き出し電極部１１ｅの長さ方向Ｌに沿った寸法は、第１−１の引き出し電極部１１ｄの長さ方向Ｌに沿った寸法よりも短い。第１−２の引き出し電極部１１ｅのＬ２側の端辺は、第１−１の引き出し電極部１１ｄのＬ２側の端辺と面一である。第１−２の引き出し電極部１１ｅの第１の主面１０ａにおける露出部は、第１の外部電極４５により覆われている。
【００８４】
図１２に示されるように、第２の内部電極１２は、矩形状の第２の内部電極本体１２ａと、矩形状の第２−１の引き出し電極部１２ｂ、１２ｄと、矩形状の第２−２の引き出し電極部１２ｃ、１２ｅとを有する。
【００８５】
第２−１の引き出し電極部１２ｂは、第２の内部電極本体１２ａのＬ１側の部分から第１の主面１０ａ側に向かって延びている。第２−１の引き出し電極部１２ｂは、第１の主面１０ａには至っていない。第２−１の引き出し電極部１２ｂのＬ１側の端辺と、第２の内部電極本体１２ａのＬ１側の端辺とは面一である。
【００８６】
第２−２の引き出し電極部１２ｃは、第２−１の引き出し電極部１２ｂから第１の主面１０ａ側に向かって延びている。第２−２の引き出し電極部１２ｃは、第１の主面１０ａに至っている。第２−２の引き出し電極部１２ｃの長さ方向Ｌに沿った寸法は、第２−１の引き出し電極部１２ｂの長さ方向Ｌに沿った寸法よりも短い。第２−２の引き出し電極部１２ｃのＬ１側の端辺は、第２−１の引き出し電極部１２ｂのＬ１側の端辺と面一である。第２−２の引き出し電極部１２ｃの第１の主面１０ａにおける露出部は、第２の外部電極４４により覆われている。
【００８７】
第１−１の引き出し電極部１１ｄは、第１の内部電極本体１１ａのＬ１側の部分から第１の主面１０ａ側に向かって延びている。第１−１の引き出し電極部１１ｄは、第１の主面１０ａには至っていない。第２−１の引き出し電極部１２ｄのＬ１側の端辺と、第２の内部電極本体１２ａのＬ１側の端辺とは面一である。
【００８８】
第２−２の引き出し電極部１２ｅは、第２−１の引き出し電極部１２ｄから第１の主面１０ａ側に向かって延びている。第２−２の引き出し電極部１２ｅは、第１の主面１０ａに至っている。第２−２の引き出し電極部１２ｅの長さ方向Ｌに沿った寸法は、第２−１の引き出し電極部１２ｄの長さ方向Ｌに沿った寸法よりも短い。第２−２の引き出し電極部１２ｅのＬ１側の端辺は、第２−１の引き出し電極部１２ｄのＬ１側の端辺と面一である。第２−２の引き出し電極部１２ｅの第１の主面１０ａにおける露出部は、第２の外部電極４６により覆われている。
【００８９】
第１−１の引き出し電極部１１ｂの少なくとも一部と、第２−１の引き出し電極部１２ｂの少なくとも一部とは、幅方向Ｗにおいて対向している。第１−１の引き出し電極部１１ｂは、第２の外部電極４４と厚み方向Ｔにおいて対向していない。第２−１の引き出し電極部１２ｂは、第１の外部電極４３と厚み方向Ｔにおいて対向していない。このため、電子部品１ａにおいても、短いカレントループＣＬ１ａを実現することができる。従って、低いＥＳＬを実現することができる。
【００９０】
（第３の実施形態）
図１３は、第３の実施形態における電子部品１ｂの模式的斜視図である。図１４は、第３の実施形態における電子部品１ｂの模式的断面図である。図１５は、第３の実施形態における電子部品１ｂの模式的断面図である。図１３〜図１５に示されるように、第２の主面１０ｂに、２つの第１の外部電極５１，５２と、２つの第２の外部電極５３，５４とが設けられている。第１の主面１０ａに、２つの第１の外部電極５５，５６と、２つの第２の外部電極５７，５８とが設けられている。そして、本実施形態においても、第１及び第２の実施形態と実質的に同様の内部電極１１，１２の構成となっている。本実施形態では、第１−１の引き出し電極部１１ｂ、１２ｂ及び第１−２の引き出し電極部１１ｃ、１２ｃとが長さ方向Ｌに沿って交互にそれぞれ複数設けられている。このため、本実施形態においても低いＥＳＬを実現することができる。
【符号の説明】
【００９１】
１，１ａ，１ｂ：電子部品
２：実装構造体
１０：電子部品本体
１０ａ：第１の主面
１０ｂ：第２の主面
１０ｃ：第１の側面
１０ｄ：第２の側面
１０ｅ：第１の端面
１０ｆ：第２の端面
１０ｇ：セラミック部
１１：第１の内部電極
１１ａ：第１の内部電極本体
１２：第２の内部電極
１２ａ：第２の内部電極本体
１１ｂ、１１ｂ１、１１ｂ２、１１ｄ、１１ｄ１、１１ｄ２：第１−１の電極部
１１ｃ、１１ｂｃ、１１ｂｃ、１１ｅ、１１ｅ１、１１ｅ２：第１−２の電極部
１２ｂ、１２ｂ１、１２ｂ２、１２ｄ、１２ｄ１、１２ｄ２：第２−１の電極部
１２ｃ、１２ｂｃ、１２ｂｃ、１２ｅ、１２ｅ１、１２ｅ２：第２−２の電極部
１３：第１の信号端子電極
１４：第２の信号端子電極
１５：第１の接地用端子電極
１６：第３の信号端子電極
１７：第４の信号端子電極
１８：第２の接地用端子電極
２０：実装基板
２０ａ：実装面
２１：第１のランド
２２：第２のランド
２３：第３のランド
３０：導電材
４３，４５，５１，５２，５５，５６：第１の外部電極
４４，４６，５３，５４，５７，５８：第２の外部電極
【図１】
2015153800.tif 000003
【図２】
2015153800.tif 000004
【図３】
2015153800.tif 000005
【図４】
2015153800.tif 000006
【図５】
2015153800.tif 000007
【図６】
2015153800.tif 000008
【図７】
2015153800.tif 000009
【図８】
2015153800.tif 000010
【図９】
2015153800.tif 000011
【図１０】
2015153800.tif 000012
【図１１】
2015153800.tif 000013
【図１２】
2015153800.tif 000014
【図１３】
2015153800.tif 000015
【図１４】
2015153800.tif 000016
【図１５】
2015153800.tif 000017